【手続補正書】
【提出日】平成24年4月24日(2012.4.24)
【手続補正１】
【補正対象書類名】特許請求の範囲
【補正対象項目名】全文
【補正方法】変更
【補正の内容】
【特許請求の範囲】
【請求項１】
外部から電力を入力する複数の給電経路のうち１つを選択して出力経路とするか又は前記複数の給電経路のすべてを遮断して出力をしないようにする経路切替手段と、
所定の切替制御情報に基づいて前記経路切替手段における出力経路の選択又は出力の遮断の制御を行う切替制御手段と、
を備えたことを特徴とする電力供給経路切替コンセント。
【請求項２】
前記複数の給電経路には、電力と前記所定の切替制御情報とが供給され、
前記複数の給電経路に供給される電力と前記所定の切替制御情報から前記所定の切替制御情報を分離して取得する切替制御情報取得手段を備え、
前記切替制御手段は、
前記切替制御情報取得手段で取得した所定の切替制御情報を入力し、該入力した切替制御情報に基づいて、前記経路切替手段における出力経路の選択又は出力の遮断の制御を行うことを特徴とする請求項１に記載の電力供給経路切替コンセント。
【請求項３】
前記切替情報取得手段は、
前記所定の切替制御情報に加え、前記複数の給電経路に供給される電力の一部を取得して、前記切替制御情報取得手段自体、前記経路切替手段及び前記切替制御手段の作動用電源として供給することを特徴とする請求項２に記載の電力供給経路切替コンセント。
【請求項４】
前記切替制御手段は、
前記出力経路に接続される機器が所定のものである場合、前記経路切替手段における出力経路の選択又は出力の遮断を行わないようにすることを特徴とする請求項１〜請求項３のいずれか１項に記載の電力供給経路切替コンセント。
【請求項５】
警告音を発生する報知手段を備え、
前記切替制御手段は、
前記経路切替手段における出力経路の選択又は出力の遮断を行う際に前記報知手段により警告音を発生させることを特徴とする請求項１〜請求項４のいずれか１項に記載の電力供給元切り替えコンセント。
【手続補正２】
【補正対象書類名】明細書
【補正対象項目名】発明の名称
【補正方法】変更
【補正の内容】
【発明の名称】電力供給経路切替コンセント
【手続補正３】
【補正対象書類名】明細書
【補正対象項目名】０００１
【補正方法】変更
【補正の内容】
【０００１】
本発明は、電力会社から電力の供給を受ける建造物内において、供給された電力を有効に利用するための電力供給経路切替コンセントに関する。
【手続補正４】
【補正対象書類名】明細書
【補正対象項目名】０００７
【補正方法】変更
【補正の内容】
【０００７】
本発明は、こうした問題に鑑みなされたもので、外部から供給された電力を有効に利用し、使用中の電化製品に対する安定した電力供給を可能とする電力供給経路切替コンセントを提供することを目的とする。
【手続補正５】
【補正対象書類名】明細書
【補正対象項目名】０００８
【補正方法】変更
【補正の内容】
【０００８】
かかる目的を達成するためになされた請求項１に記載の発明は、外部から電力を入力する複数の給電経路のうち１つを選択して出力経路とするか又は複数の給電経路のすべてを遮断して出力をしないようにする経路切替手段と、所定の切替制御情報に基づいて経路切替手段における出力経路の選択又は出力の遮断の制御を行う切替制御手段と、を備えたことを特徴とする。
【手続補正６】
【補正対象書類名】明細書
【補正対象項目名】０００９
【補正方法】変更
【補正の内容】
【０００９】
このような、電力供給経路切替コンセントでは、所定の切替制御情報に基づいて、外部から電力を入力する複数の給電線路のうち１つが選択されて出力されるか、又は、すべての給電線路が遮断されて出力がされないようになる。
【手続補正７】
【補正対象書類名】明細書
【補正対象項目名】００１０
【補正方法】変更
【補正の内容】
【００１０】
したがって、例えば、所定の切替制御情報として、複数の給電線路のうち、電力を出力している給電線路の電流量が予め設定された限界値を超えると、他の給電線路を選択して出力とするようにすれば、外部から供給された電力を有効に利用し、使用中の電化製品に対する安定した電力供給を可能とする電力供給経路切替コンセントとすることができる。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
次に請求項２に記載の電力供給経路切替コンセントは、複数の給電経路には、電力と所定の切替制御情報とが供給され、複数の給電経路に供給される電力と所定の切替制御情報から所定の切替制御情報を分離して取得する切替制御情報取得手段を備え、切替制御手段は、切替制御情報取得手段で取得した所定の切替制御情報を入力し、該入力した切替制御情報に基づいて、経路切替手段における出力経路の選択又は出力の遮断の制御を行うことを特徴とする。
【手続補正１０】
【補正対象書類名】明細書
【補正対象項目名】００１３
【補正方法】変更
【補正の内容】
【００１３】
従って、請求項２に記載の電力供給経路切替コンセントによれば、例えば、コンセントに接続した電子機器の種類に応じて、容易に切換情報を書き換えることができる。
【手続補正１１】
【補正対象書類名】明細書
【補正対象項目名】００１４
【補正方法】変更
【補正の内容】
【００１４】
また、請求項３に記載のように、切替情報取得手段は、所定の切替制御情報に加え、複数の給電経路に供給される電力の一部を取得して、切替制御情報取得手段自体、経路切替手段及び切替制御手段の作動用電源として供給するようにしてもよい。
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】
さらに、請求項４に記載のように、切替制御手段は、出力経路に接続される機器が所定のものである場合、経路切替手段における出力経路の選択又は出力の遮断を行わないようにすると、電力が遮断されると不都合が生じる機器の電力供給が遮断されることを防止できる。
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】変更
【補正の内容】
【００１８】
また、請求項５に記載のように、警告音を発生する報知手段を備え、切替制御手段は、経路切替手段における出力経路の選択又は出力の遮断を行う際に報知手段により警告音を発生させるようにしてもよい。
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】